(57)【要約】  大きさが異なるボックスの開口を同一のフェースプレートで塞ぐことができるエレベーターの乗場位置表示器を提供する。この発明に係るエレベーターの乗場位置表示器（１）は、操作部（４）を有し、乗場の壁に埋め込まれたボックス（５）の前面の開口の一部分を塞ぐボタンプレート（２）と、表示部を有し、ボタンプレート（２）の前面の一部分と重なるように設けられ、ボタンプレート（２）に対してスライド可能に取り付けられるフェースプレート（３）と、を備える。
2019239496.tif 000002
【特許請求の範囲】
【請求項１】
操作部を有し、乗場の壁に埋め込まれたボックスの前面の開口の一部分を塞ぐボタンプレートと、
表示部を有し、前記ボタンプレートの前面の一部分と重なるように設けられ、前記ボタンプレートに対してスライド可能に取り付けられるフェースプレートと、
を備えたエレベーターの乗場位置表示器。
【請求項２】
前記フェースプレートの長手方向に沿って設けられ、前記ボタンプレートの前面に対向する溝が形成されたフレームと、
前記フレームの溝の内側に頭部が位置し、前記ボタンプレートに形成された穴部に挿入されるボルトと、
前記ボタンプレートの後側から前記ボルトに取り付けられるナットと、
を更に備え、
前記フェースプレートは、前記ナットが締め付けられていない状態で前記ボタンプレートに対してスライド可能である請求項１に記載のエレベーターの乗場位置表示器。
【請求項３】
前記フェースプレートは、前記ナットが締め付けられることで前記ボタンプレートに対して固定される請求項２に記載のエレベーターの乗場位置表示器。
【発明の詳細な説明】
【技術分野】
【０００１】
この発明は、エレベーターの乗場位置表示器に関する。
【背景技術】
【０００２】
エレベーターの乗場には、乗場位置表示器が設けられる。乗場位置表示器のフェースプレートは、乗場の壁に埋め込まれたボックスの開口を塞ぐように取り付けられる。特許文献１には、大きさが異なるボックスに同一の取付部材を用いて取り付けることができる乗場表示装置が開示されている。
【先行技術文献】
【特許文献】
【０００３】
【特許文献１】日本特開２００７−１３１４３３号公報
【発明の概要】
【発明が解決しようとする課題】
【０００４】
特許文献１に記載の乗場表示装置では、取付部材を共通化できるが、フェースプレートを共通化できない。このため、大きさが異なるボックスの開口を同一のフェースプレートで塞ぐことができない。【０００５】
この発明は、上記の課題を解決するためになされた。その目的は、大きさが異なるボックスの開口を同一のフェースプレートで塞ぐことができるエレベーターの乗場位置表示器を提供することである。
【課題を解決するための手段】
【０００６】
この発明に係るエレベーターの乗場位置表示器は、操作部を有し、乗場の壁に埋め込まれたボックスの前面の開口の一部分を塞ぐボタンプレートと、表示部を有し、ボタンプレートの前面の一部分と重なるように設けられ、ボタンプレートに対してスライド可能に取り付けられるフェースプレートと、を備える。
【発明の効果】
【０００７】
この発明によれば、フェースプレートは、ボタンプレートの前面の一部分と重なるように設けられ、ボタンプレートに対してスライド可能に取り付けられる。このため、大きさが異なるボックスの開口を同一のフェースプレートで塞ぐことができる。
【図面の簡単な説明】
【０００８】
【図１】実施の形態１における乗場位置表示器の正面図である。
【図２】実施の形態１における乗場位置表示器の第１のＡ−Ａ矢視断面図である。
【図３】実施の形態１における乗場位置表示器のＢ−Ｂ矢視断面図である。
【図４】実施の形態１における乗場位置表示器のＣ−Ｃ矢視断面図である。
【図５】実施の形態１における乗場位置表示器の第２のＡ−Ａ矢視断面図である。
【図６】実施の形態１における乗場位置表示器の第３のＡ−Ａ矢視断面図である。
【図７】実施の形態１における乗場位置表示器の第４のＡ−Ａ矢視断面図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態１．
図１は、実施の形態１における乗場位置表示器の正面図である。
【００１１】
乗場位置表示器１は、例えば、エレベーターの乗場に設けられる操作盤である。乗場位置表示器１は、例えば、図１に示すように、乗場ドア付近の壁に設けられる。
【００１２】
乗場位置表示器１は、ボタンプレート２およびフェースプレート３を備える。ボタンプレート２およびフェースプレート３は、例えば、上下方向に長く形成される。
【００１３】
ボタンプレート２には、例えば、１つまたは複数の操作部４が設けられる。操作部４としては、例えば、乗場呼びボタンまたは行先階ボタン等が設けられ得る。
【００１４】
フェースプレート３は、ボタンプレート２の前面の一部分と重なるように設けられる。フェースプレート３の下端は、例えば、操作部４よりも上方に位置する。フェースプレート３の前面には、例えば、エレベーターの運行状況等の情報が表示される。運行状況には、例えば、かごが位置する階床およびかごの移動方向等が含まれる。
【００１５】
図２は、実施の形態１における乗場位置表示器の第１のＡ−Ａ矢視断面図である。
【００１６】
図２に示すように、乗場位置表示器１は、ボックス５に取り付けられる。ボックス５は、乗場の壁に埋め込まれる。ボックス５は、前面が開口した構造に形成される。
【００１７】
ボタンプレート２は、例えば、板状に形成される。ボタンプレート２は、ボックス５の開口の一部分を塞ぐように配置される。ボタンプレート２の上端は、例えば、ボックス５の開口の上端よりも下方に位置する。
【００１８】
フェースプレート３は、例えば、前面、上面、側面および底面を有し、後方が開口した構造に形成される。フェースプレート３は、ボックス５の開口のうちボタンプレート２で塞がれない残りの部分を塞ぐように配置される。フェースプレート３の上端は、例えば、ボックス５の開口の上端よりも上方に位置する。
【００１９】
フェースプレート３の内側には、フレーム６が設けられる。フレーム６は、フェースプレート３の長手方向に沿って設けられる。フレーム６は、ボルト７およびナット８でボタンプレート２に対して固定可能である。
【００２０】
フェースプレート３の後側には、上部保持装置９が取り付けられる。上部保持装置９の断面は、例えば、Ｌ字状を呈する。上部保持装置９の上下方向に沿った一片は、ボルト１０およびナット１１でフレーム６に固定される。上部保持装置９の一片は、例えば、フレーム６との間に板状部材１２を挟んだ状態で固定される。板状部材１２は、例えば、ボタンプレート２と同じ厚さに形成される。
【００２１】
ボタンプレート２の後側には、下部保持装置１３が取り付けられる。下部保持装置１３の構造は、例えば、上部保持装置９と同様である。下部保持装置１３は、例えば、上部保持装置９とは上下反転した向きで設けられる。下部保持装置１３は、例えば、図示しないボルトおよびナットでボタンプレート２の下端部に固定される。
【００２２】
ボックス５には、ピン１４およびピン１５が設けられる。ピン１４は、ボックス５の天井から下向きに突出する。ピン１５は、ボックス５の底面から上向きに突出する。
【００２３】
上部保持装置９は、ピン１４に対して着脱可能に取り付けられる。下部保持装置１３は、ピン１５に対して着脱可能に取り付けられる。
【００２４】
図３は、実施の形態１における乗場位置表示器のＢ−Ｂ矢視断面図である。
【００２５】
図３に示すように、フェースプレート３の内側には、例えば、２つのフレーム６が平行に設けられる。２つのフレーム６の間には、インジケータ基板１６が設けられる。インジケータ基板１６は、フェースプレート３の前面に情報を表示する表示部として機能する。
【００２６】
フレーム６の後面には、開口６ａが形成される。開口６ａは、ボタンプレート２の前面に対向する。フレーム６の内部には、開口６ａから通じる溝６ｂが形成される。溝６ｂの幅は、開口６ａの幅よりも大きい。
【００２７】
ボタンプレート２には、例えば、２つの穴部２ａが形成される。穴部２ａは、フレーム６の開口６ａに対向する。穴部２ａは、例えば、ボタンプレート２の上端部に形成される。
【００２８】
ボルト７のボルト頭部７ａは、フレーム６の溝６ｂの内側に位置する。ボルト頭部７ａの幅は、開口６ａの幅よりも大きく、溝６ｂの幅よりも小さい。ボルト７は、ボルトネジ部７ｂが開口６ａ側となる向きで配置される。ボルトネジ部７ｂは、フレーム６の開口６ａから突出し、ボタンプレート２の穴部２ａに挿入される。ナット８は、ボタンプレート２の後側からボルトネジ部７ｂに取り付けられる。
【００２９】
ナット８が締め付けられると、フェースプレート３がボタンプレート２に対して固定される。ナット８が締め付けられていない状態では、ボルト７がフレーム６の溝６ｂに沿って移動することで、フェースプレート３がボタンプレート２に対してスライド可能である。ボルト７およびナット８は、ボタンプレート２に対するフェースプレート３の位置調整用の部品として機能する。
【００３０】
図４は、実施の形態１における乗場位置表示器のＣ−Ｃ矢視断面図である。
【００３１】
図４に示すように、板状部材１２には、例えば、２つの穴部１２ａが形成される。穴部１２ａは、フレーム６の開口６ａに対向する。
【００３２】
上部保持装置９の上下方向に沿った一片には、例えば、図示しない２つの穴部が形成される。これらの穴部は、板状部材１２の穴部１２ａに対向する。
【００３３】
上部保持装置９の水平方向に沿った他片には、ピン１４の径よりも大きい切欠きが形成される。
【００３４】
ボルト１０のボルト頭部１０ａは、フレーム６の溝６ｂの内側に位置する。ボルト頭部１０ａの幅は、開口６ａの幅よりも大きく、溝６ｂの幅よりも小さい。ボルト１０は、ボルトネジ部１０ｂが開口６ａ側となる向きで配置される。ボルトネジ部１０ｂは、フレーム６の開口６ａから突出し、板状部材１２の穴部１２ａおよび上部保持装置９の一片に形成された穴部に挿入される。ナット１１は、上部保持装置９の一片の後側からボルトネジ部１０ｂに取り付けられる。
【００３５】
上部保持装置９には、バネ１７およびスペーサ１８が設けられる。バネ１７およびスペーサ１８は、上部保持装置９の上下方向に沿った一片と板状部材１２との間に挟み込まれる。バネ１７は、例えば、板バネである。スペーサ１８は、例えば、バネ１７と同じ厚さに形成される。
【００３６】
ナット１１が締め付けられると、上部保持装置９がフェースプレート３に対して固定される。ナット１１が締め付けられていない状態では、ボルト１０がフレーム６の溝６ｂに沿って移動することで、上部保持装置９およびバネ１７がフェースプレート３に対してスライド可能である。
【００３７】
なお、下部保持装置１３には、例えば、バネ１７と同様のバネおよびスペーサ１８と同様のスペーサが設けられる。当該バネおよび当該スペーサは、下部保持装置１３の上下方向に沿った一片とボタンプレート２との間に挟み込まれる。
【００３８】
乗場位置表示器１は、ボタンプレート２にフェースプレート３が固定され、上部保持装置９および下部保持装置１３が取り付けられた状態で、ボックス５に嵌め込むようにして取り付けられる。ボックス５の奥に向かって乗場位置表示器１が押し込まれていくと、バネ１７が変形しながら移動する。バネ１７が図４に示すようにピン１４に引っ掛かることで、上部保持装置９がピン１４に対して着脱可能に取り付けられる。なお、下部保持装置１３も、同様に、ピン１５に対して着脱可能に取り付けられる。
【００３９】
図５は、実施の形態１における乗場位置表示器の第２のＡ−Ａ矢視断面図である。図６は、実施の形態１における乗場位置表示器の第３のＡ−Ａ矢視断面図である。図７は、実施の形態１における乗場位置表示器の第４のＡ−Ａ矢視断面図である。
【００４０】
図５は、図４の状態よりも上方にフェースプレート３をスライドさせた場合を例示する。この場合、フェースプレート３に対するボルト１０の固定位置を変更することで、ボックス５に対する上部保持装置９の位置が保持される。
【００４１】
図６は、図４に示すボックス５よりも小さいボックス５に乗場位置表示器１を取り付けた場合を例示する。図７は、図４に示すボックス５よりも大きいボックス５に乗場位置表示器１を取り付けた場合を例示する。これらの場合、フェースプレート３に対するボルト７の固定位置を変更することで、ボックス５の開口のうちボタンプレート２で塞がれない部分を塞ぐようにフェースプレート３の位置が調整される。
【００４２】
以上で説明した実施の形態１によれば、ボタンプレート２は、操作部４を有し、乗場の壁に埋め込まれたボックス５の前面の開口の一部分を塞ぐ。フェースプレート３は、表示部を有し、ボタンプレート２の前面の一部分と重なるように設けられ、ボタンプレート２に対して長手方向に沿ってスライド可能に取り付けられる。このため、大きさが異なるボックス５の開口を同一のフェースプレート３で塞ぐことができる。その結果、乗場位置表示器１を改修する際に、サイズが異なる既設のボックス５に対して共通のフェースプレート３を使用することができる。また、表示部の位置を任意に調整可能であるため、デザイン拡張および視認性向上を図ることができる。
【００４３】
また、フレーム６は、フェースプレート３の長手方向に沿って設けられ、ボタンプレート２の前面に対向する溝６ｂが形成されている。ボルト７は、フレーム６の溝６ｂの内側にボルト頭部７ａが位置し、ボタンプレート２に形成された穴部２ａに挿入される。ナット８は、ボタンプレート２の後側からボルト７に取り付けられる。フェースプレート３は、ナット８が締め付けられていない状態でボタンプレート２に対してスライド可能である。フェースプレート３は、ナット８が締め付けられることでボタンプレート２に対して固定される。このため、簡単な構成で、ボタンプレート２に対するフェースプレート３の位置を調整可能とすることができる。
【産業上の利用可能性】
【００４４】
この発明は、大きさが異なるボックスの開口を同一のフェースプレートで塞ぐエレベーターの乗場位置表示器に利用できる。
【符号の説明】
【００４５】
１  乗場位置表示器
２  ボタンプレート
２ａ  穴部
３  フェースプレート
４  操作部
５  ボックス
６  フレーム
６ａ  開口
６ｂ  溝
７  ボルト
７ａ  ボルト頭部
７ｂ  ボルトネジ部
８  ナット
９  上部保持装置
１０  ボルト
１０ａ  ボルト頭部
１０ｂ  ボルトネジ部
１１  ナット
１２  板状部材
１２ａ  穴部
１３  下部保持装置
１４  ピン
１５  ピン
１６  インジケータ基板
１７  バネ
１８  スペーサ
【図１】
2019239496.tif 000003
【図２】
2019239496.tif 000004
【図３】
2019239496.tif 000005
【図４】
2019239496.tif 000006
【図５】
2019239496.tif 000007
【図６】
2019239496.tif 000008
【図７】
2019239496.tif 000009
【国際調査報告】
2019239496.tif 000010
2019239496.tif 000011
2019239496.tif 000012
2019239496.tif 000013